(57)【特許請求の範囲】
【請求項１】
素線が並列されてなる光ファイバテープ心線が素線の並列方向を深さ方向に一致させてセットされるセット用溝と、セット用溝の開口端に沿って移動して光ファイバテープ心線の素線の並列方向の端部の被覆層の一部を切断除去する除去刃とを備え、
前記セット用溝は、切り込み段部を有する固定ブロックと固定ブロックに弾圧される移動ブロックとの間に形成され、
前記除去刃は、固定ブロック，移動ブロックを収容する本体ブロックに支持されたガイドシャフトに移動方向を案内されていることを特徴とする光ファイバテープ心線の被覆除去器。
【請求項２】
請求項１の光ファイバテープ心線の被覆除去器において、前記移動ブロックには、移動ブロックを固定ブロックに接近，離間させるクランプ機構が連結されていることを特徴とする光ファイバテープ心線の被覆除去器。
【請求項３】
請求項１または２の光ファイバテープ心線の被覆除去器において、除去刃は、ガイドシャフトを中心に回動可能，スライド可能な操作ブロックに固定されていることを特徴とする光ファイバテープ心線の被覆除去器。
【請求項４】
切り込み段部を有する固定ブロックと固定ブロックに弾圧される移動ブロックとの間に形成されるセット用溝と、セット用溝の開口端に沿って移動して光ファイバテープ心線の素線の並列方向の端部の被覆層の一部を切断除去する除去刃とを備える光ファイバテープ心線の被覆除去器の操作方法において、
前記固定ブロックと前記移動ブロックを離間させて、前記セット用溝に光ファイバテープ心線を素線の並列方向が深さ方向に一致するようにしてセットし、
前記固定ブロックと前記移動ブロックを近接させ、光ファイバテープ心線をセット用溝に保持し、
前記除去刃をセット用溝の開口端に沿って移動させ、光ファイバテープ心線のテープ被覆層のセット用溝の上方から突出している部分を切断除去することを特徴とする光ファイバテープ心線の被覆除去器の操作方法。
【発明の詳細な説明】
【０００１】
【発明の属する技術分野】
本発明は、素線が並列されてなる光ファイバテープ心線の被覆層の除去に係る技術分野に属する。
【０００２】
【従来の技術】
一般に、光ファイバテープ心線Ｔは、図５に示すように、複数本の素線１０にそれぞれ素線被覆層２０を被覆して並列させ、その上にテープ被覆層３０で被覆してなる。なお、図５（Ａ）では、素線１０が４本の４心構造からなるものを示してある。また、図５（Ｂ）では、素線１０が２本の２心構造からなるものを示してある。
【０００３】
このような光ファイバテープ心線Ｔについては、例えば、図６に示すように、図５（Ｂ）に示した２心構造のもの２本の素線１０の並列方向の端部のテープ被覆層３０の一部をそれぞれ除去し、除去面ａ，ｂ同士を接合させることによって、図５（Ａ）に示した４心構造のもの１本とほぼ同一の断面構造を得ることができることになる。
【０００４】
このため、このような被覆除去技術を実施して２心構造の２本の光ファイバテープ心線Ｔの接続に４心構造の光ファイバテープ心線用の一括融着接続や光コネクタを使用することが試みられる等、光ファイバテープ心線Ｔにおける分岐接続の簡易化，高性能化，信頼性の向上化それに布設，接続用器具の汎用化，共用化や光ファイバテープ心線Ｔの有効利用化が多様に想考されるようになってきている。
【０００５】
従来、光ファイバテープ心線Ｔの素線１０の並列方向の端部のテープ被覆層３０の一部を除去するには、専用の除去器具が開発されていない関係から、異なる素線数の光ファイバテープ心線Ｔを分岐接続するためには、次のいずれかの方法で行われていた。
（イ）全てを単心に分離し、単心線接続する方法。
（ロ）あらかじめ分岐接続された光ファイバテープ心線コードを介在させて接続する方法。
（ハ）テープ被覆層の一部を除去せずに小素線数の光ファイバテープ心線数本を並べ、必要によっては接着させて、大素線数の光ファイバテープ心線１本と接続する方法。
（ニ）他用途のカッタ等を利用してテープ被覆層の一部を切断除去する方法。
【０００６】
【発明が解決しようとする課題】
前述の従来の他用途のカッタ等を利用する技術では、次の問題点があった。
（イ）方法では、単心分離作業を単心毎の接続となり、多くの労力，時間，工具が必要で不経済であり、信頼性に劣る。
（ロ）方法では、高価なコードを要し、かつ、その両端接続を必要とし、更にそのコードを収納する必要があることから大型化となり、不経済である。
（ハ）方法では、分岐接続されるテープ心線の幅に物理的な差が存在するため、性能や信頼性にバラツキが生じ易い。
（ニ）方法では、光ファイバテープ心線Ｔの素線１０の並列方向の端部のテープ被覆層３０の一部を正確に除去することが困難であるため、切断除去の際に素線１０を傷付けたり、切断除去後の光ファイバテープ心線Ｔの接合が精密に行えなくなる。
【０００７】
本発明は、このような問題点を考慮してなされたもので、光ファイバテープ心線の素線の並列方向の端部の被覆層の一部を正確に除去することのできる光ファイバテープ心線の被覆除去器と、この光ファイバテープ心線の被覆除去器を特殊に使用する光ファイバテープ心線の被覆除去器の操作方法とを提供することを課題とする。
【０００８】
【課題を解決するための手段】
前述の課題を解決するため、本発明に係る光ファイバテープ心線の被覆除去器は、次のような手段を採用する。
【０００９】
即ち、請求項１に記載のように、素線が並列されてなる光ファイバテープ心線が素線の並列方向を深さ方向に一致させてセットされるセット用溝と、セット用溝の開口端に沿って移動して光ファイバテープ心線の素線の並列方向の端部の被覆層の一部を切断除去する除去刃とを備え、前記セット用溝は、切り込み段部を有する固定ブロックと固定ブロックに弾圧される移動ブロックとの間に形成され、前記除去刃は、固定ブロック，移動ブロックを収容する本体ブロックに支持されたガイドシャフトに移動方向を案内されていることを特徴とする。
【００１０】
この手段では、光ファイバテープ心線をセット用溝にセットして除去刃を移動させることにより、セット用溝の開口端から突出している被覆層の一部のみを切断除去することができる。
【００１１】
また、この手段では、除去刃がセット用溝に対して固定ブロック，移動ブロック，本体ブロックを介して一体化されたガイドシャフトに案内されて移動する。
【００１２】
この手段では、セット用溝が移動ブロック，固定ブロックの当接面から加工形成され弾圧で形状が保持される。
【００１３】
また、請求項２に記載のように、請求項１の光ファイバテープ心線の被覆除去器において、前記移動ブロックには、移動ブロックを固定ブロックに接近，離間させるクランプ機構が連結されていることを特徴とする。
【００１４】
この手段では、クランプ機構で移動ブロック，固定ブロックを離間させた状態として、光ファイバテープ心線をセット用溝にセット，セット解除し、クランプ機構で移動ブロック，固定ブロックを接近させた状態として、ファイバテープ心線をセット用溝に保持して除去刃で切断除去する。
【００１７】
また、請求項３に記載のように、請求項１または２の光ファイバテープ心線の被覆除去器において、除去刃は、ガイドシャフトを中心に回動可能，スライド可能な操作ブロックに固定されていることを特徴とする。
【００１８】
この手段では、除去刃の移動がガイドシャフトをスライドする操作部ブロックで操作される。操作ブロックは、ガイドシャフトを中心に回動してセット用溝に対面，退避する。
【００１９】
さらに、前述の課題を解決するため、本発明に係る光ファイバテープ心線の被覆除去器の操作方法は、次のような手段を採用する。
【００２０】
即ち、請求項４に記載のように、切り込み段部を有する固定ブロックと固定ブロックに弾圧される移動ブロックとの間に形成されるセット用溝と、セット用溝の開口端に沿って移動して光ファイバテープ心線の素線の並列方向の端部の被覆層の一部を切断除去する除去刃とを備える光ファイバテープ心線の被覆除去器の操作方法において、前記固定ブロックと前記移動ブロックを離間させて、前記セット用溝に光ファイバテープ心線を素線の並列方向が深さ方向に一致するようにしてセットし、前記固定ブロックと前記移動ブロックを近接させ、光ファイバテープ心線をセット用溝に保持し、前記除去刃をセット用溝の開口端に沿って移動させ、光ファイバテープ心線のテープ被覆層のセット用溝の上方から突出している部分を切断除去することを特徴とする。
【００２１】
この手段では、光ファイバテープ心線の素線の並列方向の端部の被覆層の一部を正確に除去することができる。
【００２２】
【発明の実施の形態】
以下、本発明に係る光ファイバテープ心線の被覆除去器およびその操作方法の実施の形態を図１〜図４に基いて説明する。
【００２３】
この実施の形態では、２心構造の光ファイバテープ心線Ｔの被覆除去の現場作業に適応する比較的小型の工具タイプのものを示してある。
【００２４】
この実施の形態は、図１，図２に示すように、本体ブロック１に固定ブロック２，移動ブロック３，操作ブロック４を組付けてなる。また、図３，図４には、要部の詳細を示している。
【００２５】
本体ブロック１は、直方体形に形成されてなるもので、上部の中央部に長手方向へ延びて固定ブロック２，移動ブロック３を収容する断面コ字形の収容部１１が設けられ、上部の一方の端部に長手方向へ延びて操作ブロック４の移動を案内するガイドシャフト５が配設される断面Ｌ字形のガイドシャフト配設溝１２が設けられ、上部の他方の端部に長手方向へ延びて操作ブロック４が弾圧係止する係止溝１３が設けられている。
【００２６】
固定ブロック２は、細長板形に形成されてなるもので、本体ブロック１の収容部１１に収容されネジ６で本体ブロックに固定されている。
【００２７】
移動ブロック３は、細長板形に形成されてなるもので、本体ブロック１の収容部１１に収容されコイルスプリング７を介してネジ６で本体ブロック１に弾圧支持され、連結しているクランプ機構８により固定ブロック２に近接，離間されるようになっている。なお、クランプ機構８は、本体ブロック１の側面から突出して回動可能なクランプレバー８１と、クランプレバーに８１に軸支され固定ブロック２を貫通したクランプバー８２と、クランプバー８２に軸支され移動ブロックに当接するカム８３とを備えている。即ち、このクランプ機構８は、クランプレバー８１を本体ブロック１の側面に対して起立回動させることにより、クランプバー８２を介してカム８３を移動ブロック３に押圧させ、移動ブロック３をコイルスプリング７の弾圧に抗して固定ブロック２から離間させ、クランプレバー８１を本体ブロック１の側面に対して傾倒回動させることにより、クランプバー８２を介してカム８３の移動ブロック３への押圧を解除し、移動ブロック３をコイルスプリング７の弾圧の付勢によって固定ブロック２に近接させる。
【００２８】
これ等の固定ブロック２，移動ブロック３には、光ファイバテープ心線Ｔがセットされる１条のセット用溝Ａが設けられている。
【００２９】
セット用溝Ａは、固定ブロック２の移動ブロック３への当接面２１の上部に長手方向に延びてＬ字形に切込まれた段部２２と、移動ブロック３の固定ブロック２への当接面３１の上部の部分３２とによって、上方へ開口された断面コ字形に形成されている。従って、このセット用溝Ａについては、固定ブロック２の角部の切削という簡単な工作で精密に製造することができ、コイルスプリング７による固定ブロック２，移動ブロック３の弾圧で断面コ字形が確実に保持されることになる。
【００３０】
このセット用溝Ａの大きさ（幅ｃ，深さｄ）は、図３に示すように、光ファイバテープ心線Ｔが素線１０の並列方向を深さｄ方向に一致させてセットされるように形成されている。なお、セット用溝Ａにセットされた光ファイバテープ心線Ｔは、除去されるべきテープ被覆層３０の一部がセット用溝Ａの開口端から突出される。
【００３１】
操作ブロック４は、矩形に形成されてなるもので、一方の側端部に本体ブロック１に配設されたガイドシャフト５に回動可能，スライド可能に嵌合した支持部４１が設けられ、他方の側端部に本体部ブロック１の係止溝１３にスライド可能に弾圧係止するバネ４２付きの係止片４３が設けられ、前端部に窓形の除去刃取付座４４が設けられている。この操作ブロック４は、スライドによってセット用溝Ａが設けられている固定ブロック２，移動ブロック３の上方を移動し、回動によってセット用溝Ａが設けられている固定ブロック２，移動ブロック３の上方に対して対面，退避が可能になっている。
【００３２】
この操作ブロック４の除去刃取付座４４には、光ファイバテープ心線Ｔのテープ被覆層３０の一部を切断除去する除去刃Ｂが設けられている。
【００３３】
除去刃Ｂは、平刃形状からなるもので、操作ブロック４の除去刃取付座４４にネジ等でセット用溝Ａの開口端に対面する格好で固定されている。
【００３４】
この実施の形態によると、光ファイバテープ心線Ｔの被覆除去作業に際しては、まず、操作ブロック４をガイドシャフト５を中心にして回動させて固定ブロック２，移動ブロック３の上方から退避させる（図１の２点鎖線参照）。そして、クランプ機構８を操作して固定ブロック２，移動ブロック３を離間させておいて、セット用溝Ａに光ファイバテープ心線Ｔを素線１０の並列方向が深さｄ方向に一致するようにしてセットする（図３（Ａ）参照）。このとき、固定ブロック２，移動ブロック３の離間によりセット用溝Ａの幅ｃが拡幅された格好となっているため、光ファイバテープ心線Ｔを損傷したりすることなく確実にセット用溝Ａにセットすることができる。
【００３５】
この後、クランプ機構８を操作して固定ブロック２，移動ブロック３を近接させ、操作ブロック４をガイドシャフト５を中心にして逆に回動させて固定ブロック２，移動ブロック３の上方に対面させる（図１，図２の実線参照）。この結果、光ファイバテープ心線Ｔは、コイルスプリング７で弾圧される固定ブロック２，移動ブロック３の当接面２１，３１に形成されている断面コ字形のセット用溝Ａに確実に保持される。そして、操作ブロック４の除去刃取付座４４に固定されている除去刃Ｂが光ファイバテープ心線Ｔのセット用溝Ａの開口端から上方へ突出しているテープ被覆層３０に食込むことになる。
【００３６】
続いて、操作ブロック４をガイドシャフト５に沿ってスライドさせる（図２の２点鎖線参照）。この結果、除去刃Ｂがセット用溝Ａの開口端に沿って移動することになり、光ファイバテープ心線Ｔのテープ被覆層３０のセット用溝Ａの上方から突出している部分が切断除去されることになる。このとき、光ファイバテープ心線Ｔがコイルスプリング７の弾圧で保持されてセット用溝Ａの内部でずれることがなく、操作ブロック４がバネ４２付きの係止片４３で本体ブロック１の係止溝１３に係止されて不測に回動して除去刃Ｂが浮上がることがないため、光ファイバテープ心線Ｔのテープ被覆層３０の切断除去が正確に行われる。
【００３７】
切断除去の後には、操作ブロック４をガイドシャフト５を中心にして回動させて固定ブロック２，移動ブロック３の上方から退避させ、クランプ機構８を操作して固定ブロック２，移動ブロック３を離間させておいて、セット用溝Ａから切断加工された光ファイバテープ心線Ｔを取出すことになる。
【００３８】
なお、図４は、光ファイバテープ心線Ｔのテープ被覆層３０が素線被覆層２０の周囲に充填される接着剤３０ａと接着剤３０ａを両面から接着被覆するポリエステルテープ等の被覆テープ３０ｂとからなるものを示してある。このような構造からなる光ファイバテープ心線Ｔについても、前述の切断除去が有効に実施され得る。
【００３９】
以上、図示した実施の形態の外に、セット用溝Ａを１つの被覆除去器に２条以上設けることも可能である。
【００４０】
また、対象とする光ファイバテープ心線Ｔの寸法，形状によって、セット用溝Ａの幅ｃ及び深さｄを適切に選定したり、固定ブロック２の段部２２，移動ブロック３の上部の部分３２の面を平面から曲面に適切に選定することにより、多心の光ファイバテープ心線や、多条の光ファイバテープ心線、さらには異形の光ファイバテープ心線にも対応することができる。
【００４１】
さらに、素線１０が２心をこえる光ファイバテープ心線Ｔについても切断除去を有効に実施することが可能である。
【００４２】
さらに、セット用溝Ａを多数条設けたり、操作ブロック４の駆動源を設けたりして、工場設置工作機体タイプとすることも可能である。
【００４３】
又、操作ブロック４を動かさずに、セット用溝Ａにセットされた光ファイバテープ心線Ｔのみを引き移動させることによっても、切断除去が有効に実施できる。
さらに、寒冷地で使用する場合のために、加熱源を本体ブロック１や固定ブロック２に設けることも可能である。
操作ブロック４の除去刃Ｂの前後には、必要により、光ファイバテープ心線Ｔがセット用溝Ａより浮き出ないように押さえガイドを設けることもできる。
尚、本発明は被覆除去器の構成材質を限定するものではない。
【００４４】
【発明の効果】
以上のように、本発明に係る光ファイバテープ心線の被覆除去器およびその操作方法は、光ファイバテープ心線をセット用溝にセットして除去刃を移動させるか、又は光ファイバテープ心線を移動させることにより、セット用溝の開口端から突出している被覆層の一部のみを切断除去することができるため、光ファイバテープ心線の素線の並列方向の端部の被覆層の一部を正確に除去することができる効果がある。
従って、光ファイバテープ心線の分岐接続が極めて安全に作業でき、高性能で高信頼性の分岐接続を経済的に実現できる効果がある。
【図面の簡単な説明】
【図１】本発明に係る光ファイバテープ心線の被覆除去器およびその操作方法の実施の形態を示す斜視図である。
【図２】図１の背面側の斜視図である。
【図３】図１，図２の要部の動作を示すもので、（Ａ）は光ファイバテープ心線のセット用溝へのセット状態を示す断面図、（Ｂ）は光ファイバテープ心線の除去刃による切断除去を示す断面図である。
【図４】他の構造の光ファイバテープ心線の使用例を示す断面図である。
【図５】光ファイバテープ心線の一般的な構造を示すもので、（Ａ）は４心構造の断面図、（Ｂ）は２心構造の断面図である。
【図６】図５（Ｂ）の光ファイバテープ心線の加工例を示す断面図である。
【符号の説明】
１              本体ブロック
２              固定ブロック
３              移動ブロック
４              操作ブロック
５              ガイドシャフト
８              クランプ機構
１０            素線
２０            素線被覆層
３０            テープ被覆層
Ａ              セット用溝
Ｂ              除去刃
Ｔ              光ファイバテープ心線
【図１】
0003834133.tif 000002
【図２】
0003834133.tif 000003
【図３】
0003834133.tif 000004
【図４】
0003834133.tif 000005
【図５】
0003834133.tif 000006
【図６】
0003834133.tif 000007